(57)【特許請求の範囲】
【請求項１】
実装基板と、
各々発光素子を含んでおり、列状に配置されているとともに、前記実装基板の下面に実装された複数のランプと、
前記実装基板の周囲を固定する基体と、
前記複数のランプに対応して列状に設けられた複数の開口部と、前記複数のランプから放射された光が届く位置に設けられた光反射面と、前記複数の開口部が配置されている方向において部分的に形成され、前記光反射面の前記開口部と離れた位置に設けられた複数の取り付け部分によって前記基体に固定されている反射部材と、
を備えた発光器具。
【請求項２】
前記反射部材は、前記光反射面の前記開口部と離れた位置から延びる前記複数の取り付け部分によって前記基体の内側に固定されていることを特徴とする請求項１記載の発光器具。
【請求項３】
前記反射部材は、前記複数の取り付け部分の弾性変形から元に戻ろうとする作用によって、前記基体に着脱可能な状態で固定されていることを特徴とする請求項１記載の発光器具。
【発明の詳細な説明】
【技術分野】
【０００１】
本発明は、例えば発光ダイオードなどの発光素子を含む発光器具に関するものである。
【背景技術】
【０００２】
例えば発光ダイオードなどの発光素子を含む複数のランプを有する発光器具として、複数のランプから放射された光が届く位置に設けられた光反射面を有する反射部材を含むものがある。反射部材は、例えば、複数のランプが実装されている基板に固定されている。
【先行技術文献】
【特許文献】
【０００３】
【特許文献１】特開２００５−２８５４４６号公報
【発明の概要】
【発明が解決しようとする課題】
【０００４】
複数のランプによって発生された熱が、基板を介して反射部材に伝導されることがあり、反射部材は、その熱によって変形される可能性がある。反射部材が変形することによって、発光器具の光放射分布が変化する可能性がある。
【課題を解決するための手段】
【０００５】
本発明の一つの態様によれば、発光器具は、実装基板と、実装基板の下面に実装された複数のランプと、実装基板の周囲を固定する基体と、基体に固定されている反射部材とを含んでいる。複数のランプは、各々発光素子を含んでおり、列状に配置されている。反射部材は、複数のランプに対応して列状に設けられた複数の開口部と、複数のランプから放射された光が届く位置に設けられた光反射面と、複数の開口部が配置されている方向において部分的に形成され、光反射面の開口部と離れた位置に設けられた複数の取り付け部分に固定されている。
【発明の効果】
【０００６】
本発明の一つの態様によれば、発光器具は、基体に固定された反射部材を含んでいる。反射部材は、複数の開口部の配置方向において部分的に形成された複数の取り付け部分を含んでおり、複数の取り付け部分によって基体に固定されている。従って、本発明の一つの態様による発光器具は、複数のランプから放射された熱による反射部材の変形が低減されており、光放射分布の変化が低減されている。
【図面の簡単な説明】
【０００７】
【図１】本発明の一つの実施形態における発光器具の斜視図を示している。
【図２】図１に示された複数のランプ３および反射部材４の下面図を示している。
【図３】図１に示された発光器具の縦断面図を示している。
【図４】図２に示されたランプ３の縦断面図を示している。
【図５】図３に示された発光器具における熱伝導経路を模式的に示す図である。
【発明を実施するための形態】
【０００８】
以下、本発明の実施形態について図面を参照して説明する。
【０００９】
図１から図３までに示されているように、本発明の一つの実施形態における発光器具は、基体１と、基体１に固定された実装基板２と、実装基板２の下面に実装された複数のランプ３と、基体１に固定されている反射部材４とを含んでいる。図１において、発光器具は、仮想のｘｙｚ空間におけるｘｙ平面に設けられている。図１において、上方向とは、仮想のｚ軸の正方向のことである。発光器具は、例えば天井に取り付けられる照明器具である。
【００１０】
基体１は、例えば実質的に金属材料からなる。
【００１１】
実装基板２は、例えば実質的に樹脂材料からなるプリント配線基板である。
【００１２】
複数のランプ３は、各々発光素子を含んでおり、実装基板２に実装されているとともに、列状に配置されている。図２において、複数のランプ３は、仮想のｙ軸の正方向に、列状に配置されている。
【００１３】
図４に示されているように、複数のランプ３の各々は、基体３１と、基体３１に接合された複数のリード端子３２と、基体３１の上面に実装されているとともに複数のリード端子３２に電気的に接続された発光素子３３と、基体３１の上面に設けられているとともに発光素子３３を囲んでいるフレーム部材３４と、発光素子３３を覆っているとともにフレーム部材３４に固定されている波長変換部材３５とを含んでいる。
【００１４】
基体３１は、実質的に絶縁材料からなる。絶縁材料の例は、セラミックスである。
【００１５】
発光素子３３は、例えば、発光ダイオード（ＬＥＤ）である。発光素子３３は、駆動電力に応じて第１次光を放射する。
【００１６】
フレーム部材３４は、基体３１の上面に接合されており、実質的に絶縁材料からなる。絶縁材料の例は、セラミックスである。
【００１７】
波長変換部材３５は、複数の蛍光粒子を含んでいる。複数の蛍光粒子は、発光素子３３から放射された第１次光に応じて第２次光を放射する。波長変換部材３５は、例えば白色光を放射する。
【００１８】
再び図１から図３までを参照して、反射部材４は、複数のランプ３に対応して設けられた複数の開口部４１と、複数のランプ３から放射された光が届く位置に設けられた光反射面４２とを含んでいる。反射部材４は、複数の開口部４１の配置方向において部分的に形成された複数の取り付け部分４３をさらに含んでいる。図２において、複数の開口部４１の配置方向とは、ｙ軸方向である。反射部材４は、複数の取り付け部分４３によって基体１に固定されている。複数の取り付け部分４３は、基体１の内側に位置している。
【００１９】
反射部材４は、基体１に着脱可能な状態で固定されている。取り付け部分４３は弾性変形により、基体１の内側方向４３１および外側方向４３２に変形する。取り付け部分４３は、基体１に取り付けられる際に、基体１の内側方向４３１に変形される。反射部材４は、取り付け部分４３が基体１の外側方向へ戻ろうとする作用によって、基体１に固定されている。
【００２０】
本実施形態の発光器具おいて、反射部材４が、複数の開口部４１の配置方向において部分的に形成された複数の取り付け部分４２によって基体１に固定されていることにより、発光器具は、光放射分布の変化が低減されている。図５に示されているように、ランプ３によって発生された熱は、基板２に伝導される。熱は、基板２から基体１へ伝導されて、基体１から大気中に放散される。本実施形態の発光器具において、反射部材４が、複数の開口部４１の配置方向において部分的に形成された複数の取り付け部分４２によって基体１に固定されていることにより、例えば反射部材４が実装基板２に固定されている構造に比べて、ランプ３によって発生された熱が、反射部材４に伝導されにくくなっている。
【００２１】
本実施形態の発光器具において、反射部材４は、取り付け部材４３の弾性変形によって基体１に接するように基体１に固定されている。従って、本実施形態の発光器具は、例えば反射部材４が基体１に接合されている構造に比べて、基体１から反射部材４への熱の伝導量に関して低減されている。このように、本実施形態における発光器具は、熱制御に関して改善されていることにより、光放射分布の変化に関して低減されている。
【００２２】
本実施形態における発光器具は、複数の取り付け部分４３が、基体１の内側に位置していることにより、例えば施工時などにおける反射部材４の変形などに関して低減されている。
【００２３】
本実施形態における発光器具は、反射部材４は、基体１に着脱可能な状態で固定されていることにより、例えば反射部材４の交換が可能となり、コストを考慮しつつ、光放射分布の向上を図ることが可能となる。
【００２４】
本実施形態の発光装置において、反射部材４は、複数のランプ３を共通して囲んでいる光反射面４２を有している。反射部材４の他の例としては、複数のランプ３に対応する複数の光反射面を有するものがある。
【符号の説明】
【００２５】
１  基体
２  実装基板
３  ランプ
４  反射部材
【図１】
0005455535.tif 000002
【図２】
0005455535.tif 000003
【図３】
0005455535.tif 000004
【図４】
0005455535.tif 000005
【図５】
0005455535.tif 000006